(57)【要約】【課題】記録用紙の端部にトナーが付着することに起因する問題を回避することが可能な画像形成装置を提供する。【解決手段】画像形成装置１００は、記録用紙Ｓに対してトナー像を形成する画像形成部１４０と、記録用紙Ｓの端部を帯電させる帯電部（高圧電源１８０、帯電部材１８２、ピニオン・ラック機構１８４）と、画像形成部１５０によりトナー像が形成される前において、当該トナー像の形成に用いられるトナーの極性と同極性に帯電させるように帯電部を制御する制御部２００とを備える。【選択図】図３
2014182260.tif 000002
【特許請求の範囲】
【請求項１】
記録用紙に対してトナー像を形成する画像形成部と、
前記記録用紙の端部を帯電させる帯電部と、
前記画像形成部により前記トナー像が形成される前において、当該トナー像の形成に用いられるトナーの極性と同極性に帯電させるように前記帯電部を制御する制御部と、
を備える画像形成装置。
【請求項２】
前記画像形成部は、フルブリード印刷モードで、前記記録用紙に対して前記トナー像を形成する請求項１に記載の画像形成装置。
【請求項３】
前記制御部は、前記記録用紙を収容する給紙部内において、当該記録用紙の端部を帯電させるように前記帯電部を制御する請求項１または２に記載の画像形成装置。
【請求項４】
前記制御部は、複数枚の前記記録用紙の端部を同時に帯電させるように前記帯電部を制御する請求項１〜３の何れか１項に記載の画像形成装置。
【請求項５】
前記帯電部は、
前記記録用紙の端部を帯電させる帯電部材と、
前記帯電部材に所定の電圧または電流を印加する高圧電源と、
を有し、
前記制御部は、前記記録用紙の端部に前記帯電部材が接触せず、当該記録用紙の端部を帯電させるように前記帯電部を制御する請求項１〜４の何れか１項に記載の画像形成装置。
【請求項６】
前記帯電部は、
前記記録用紙の端部を帯電させる帯電部材と、
前記帯電部材に所定の電圧または電流を印加する高圧電源と、
を有し、
前記制御部は、前記記録用紙の端部に前記帯電部材が接触し、当該記録用紙の端部を帯電させるように前記帯電部を制御する請求項１〜４の何れか１項に記載の画像形成装置。
【請求項７】
前記帯電部は、
前記記録用紙の端部を摩擦帯電させる摩擦帯電部材を有し、
前記制御部は、前記記録用紙の端部に前記摩擦帯電部材が接触し、前記記録用紙の端部を帯電させるように前記帯電部を制御する請求項１〜４の何れか１項に記載の画像形成装置。
【請求項８】
前記記録用紙のうち印刷面の帯電を防止するための帯電防止部材を備える請求項１〜７の何れか１項に記載の画像形成装置。
【請求項９】
前記制御部は、前記所定の電圧について、前記画像形成装置の周囲の環境に応じて異なる値を前記高圧電源に設定する請求項５または６に記載の画像形成装置。
【請求項１０】
前記制御部は、前記所定の電圧について、前記記録用紙の種類および坪量に応じて異なる値を前記高圧電源に設定する請求項５または６に記載の画像形成装置。
【発明の詳細な説明】
【技術分野】
【０００１】
本発明は、画像形成装置に関する。
【背景技術】
【０００２】
電子写真方式の画像形成装置では、記録用紙（例えば、ハガキ）の先端、後端、左端および右端に余白を作ることなく、印刷面の全面に画像形成を行う縁なし印刷機能、いわゆるフルブリード印刷機能が知られている。フルブリード印刷機能を実行する場合、記録用紙内に余白ができないようにするために記録用紙サイズより大きい画像データに基づき画像が形成される。そのため、記録用紙の印刷面だけにトナーが載るのではなく、記録用紙からはみ出したトナーが、当該記録用紙の端部（特に、用紙搬送方向に垂直な用紙幅方向の両端部）に付着する。なお、フルブリード印刷機能を実行しない場合、記録用紙の余白が少ないときには、記録用紙からはみ出したトナーが、当該記録用紙の端部に付着するおそれがある。
【０００３】
画像形成装置では、トナー像を記録用紙に転写させた後、定着部において加熱、加圧して定着させることにより記録用紙に画像を形成する。しかし、記録用紙の端部には定着部による熱や圧力が効率よく伝わらないため、記録用紙の端部に付着したトナーは定着部通過後も定着されにくい。そのため、記録用紙の端部に付着したトナーは、定着ローラーや排紙ローラー等に多く転移し、当該定着ローラーや排紙ローラー等に接触する次の記録用紙に再付着してしまうという問題があった。また、印刷された記録用紙を取り扱う際に、記録用紙の端部に付着したトナーがユーザーの手を汚してしまうという問題があった。
【０００４】
上記問題に関して、余白無しモードでの画像形成後、ブレードやブラシ等のクリーニング部材を用いて、搬送ベルト上に転写された（はみ出た）トナーを除去するクリーニングの実行回数を極力少なくする技術が提案されている（例えば、特許文献１を参照）。
【０００５】
また、余白無しプリントモードにおいて、二次転写ベルトに付着したトナーを回収するために配置されたブラシローラーの回転速度を大きくする技術が提案されている（例えば、特許文献２を参照）。
【先行技術文献】
【特許文献】
【０００６】
【特許文献１】特開２００７−４７４７４号公報
【特許文献２】特開２００９−２９４４５０号公報
【発明の概要】
【発明が解決しようとする課題】
【０００７】
しかしながら、上記特許文献１，２に記載の技術では、クリーニング部材を用いて、搬送ベルト（二次転写ベルト）に付着したトナーを除去（回収）するたびに、２次的に当該トナーが付着した当該クリーニング部材をクリーニングする必要があるため、画像形成装置におけるメンテナンス性の低下や、クリーニング部材をクリーニングするための手段を設けることによるコストアップを招いてしまう。よって、上記問題に対して、上記特許文献１，２に記載の技術をそのまま適用することはできない。
【０００８】
本発明は、記録用紙の端部にトナーが付着することに起因する問題を回避することが可能な画像形成装置を提供することを目的とする。
【課題を解決するための手段】
【０００９】
本発明に係る画像形成装置は、
記録用紙に対してトナー像を形成する画像形成部と、
前記記録用紙の端部を帯電させる帯電部と、
前記画像形成部により前記トナー像が形成される前において、当該トナー像の形成に用いられるトナーの極性と同極性に帯電させるように前記帯電部を制御する制御部と、
を備える。
【発明の効果】
【００１０】
本発明によれば、記録用紙の端部にトナーが付着することに起因する問題を回避することが可能な画像形成装置を提供することができる。
【図面の簡単な説明】
【００１１】
【図１】本実施の形態における画像形成装置の縦断面図である。
【図２】本実施の形態における画像形成装置の制御ブロック図である。
【図３】本実施の形態における帯電部の構成を示す図である。
【図４】本実施の形態における帯電部の構成の変形例を示す図である。
【図５】記録用紙の種類および坪量と、帯電部材に印加される印加電圧との関係を示す図である。
【図６】本実施の形態における帯電部の構成の変形例を示す図である。
【発明を実施するための形態】
【００１２】
以下、本実施の形態を図面に基づいて詳細に説明する。
［画像形成装置１００の構成］
図１、２に示す画像形成装置１００は、電子写真プロセス技術を利用した中間転写方式のカラー画像形成装置である。画像形成装置１００は、感光体上に形成されたＣ（シアン）、Ｍ（マゼンタ）、Ｙ（イエロー）、Ｋ（ブラック）の各色トナー像を中間転写体に１次転写し、中間転写体上で４色のトナー像を重ね合わせた後、記録用紙に２次転写することにより、画像を形成する。
【００１３】
画像形成装置１００には、ＣＭＹＫの４色に対応する感光体を中間転写体の走行方向に直列配置し、中間転写体に１回の手順で各色トナー像を順次転写させるタンデム方式が採用されている。
【００１４】
画像形成装置１００は、画像読み取り部１１０、操作表示部１２０、画像処理部１３０、画像形成部１４０、搬送部１５０、定着部１６０、高圧電源１８０、帯電部材１８２、ピニオン・ラック機構１８４および制御部２００を備える。
【００１５】
制御部２００は、ＣＰＵ（Central  Processing  Unit）２０１、ＲＯＭ（Read  Only  Memory）２０２、ＲＡＭ（Random  Access  Memory）２０３等を備える。ＣＰＵ２０１は、ＲＯＭ２０２から処理内容に応じたプログラムを読み出してＲＡＭ２０３に展開し、展開したプログラムと協働して画像形成装置１００の各ブロックの動作を制御する。このとき、記憶部１７２に格納されている各種データが参照される。記憶部１７２は、例えば不揮発性の半導体メモリ（いわゆるフラッシュメモリ）やハードディスクドライブで構成される。記憶部１７２には、画像形成装置１００に与えられた印刷ジョブに関する印刷ジョブ情報が記憶される。印刷ジョブ情報とは、画像データと、画像形成に必要な設定情報とを関連づけたものである。設定情報とは、例えば、通紙される記録用紙の種類、坪量および用紙サイズ等のことである。
【００１６】
制御部２００は、通信部１７１を介して、ＬＡＮ（Local  Area  Network）、ＷＡＮ（Wide  Area  Network）等の通信ネットワークに接続された外部装置（例えばパーソナルコンピューター）との間で、各種データの送受信を行う。制御部２００は、例えば、外部装置から送信された画像データを受信し、この画像データに基づいて記録用紙に画像を形成させる。通信部１７１は、例えばＬＡＮカード等の通信制御カードで構成される。
【００１７】
画像読み取り部１１０は、ＡＤＦ（Auto  Document  Feeder）と称される自動原稿給紙装置１１１および原稿画像走査装置（スキャナー）１１２等を備える。
【００１８】
自動原稿給紙装置１１１は、原稿トレイに載置された原稿Ｄを搬送機構により搬送して原稿画像走査装置１１２へ送り出す。自動原稿給紙装置１１１は、原稿トレイに載置された原稿Ｄの画像（両面を含む）を連続的に読み取ることができる。
【００１９】
原稿画像走査装置１１２は、自動原稿給紙装置１１１からコンタクトガラス上に搬送された原稿Ｄまたはコンタクトガラス上に載置された原稿Ｄを光学的に走査し、原稿Ｄからの反射光をＣＣＤ（Charge  Coupled  Device）センサー１１２ａの受光面上に結像させ、原稿画像を読み取る。画像読み取り部１１０は、原稿画像走査装置１１２による読み取り結果に基づいて入力画像データを生成する。この入力画像データには、画像処理部１３０において所定の画像処理が施される。
【００２０】
操作表示部１２０は、例えばタッチパネル付きの液晶ディスプレイ（ＬＣＤ：Liquid  Crystal  Display）で構成され、表示部１２１および操作部１２２として機能する。表示部１２１は、制御部２００から入力される表示制御信号に従って、各種操作画面、画像の状態表示、各機能の動作状況等の表示を行う。操作部１２２は、テンキー、スタートキー等の各種操作キーを備え、ユーザーによる各種入力操作を受け付けて、操作信号を制御部２００に出力する。制御部２００は、操作部１２２を介してフルブリード印刷モードが指定された場合、動作モードをフルブリード印刷モードに設定する。ここで、フルブリード印刷モードとは、印刷面の全面に画像形成を行う動作モードである。フルブリード印刷モードでは、記録用紙内に余白ができないようにするために記録用紙サイズより大きい画像データに基づき画像が形成される。
【００２１】
画像処理部１３０は、入力画像データに対して、初期設定またはユーザー設定に応じたデジタル画像処理を行う回路等を備える。例えば、画像処理部１３０は、制御部２００の制御下で、階調補正データ（階調補正テーブル）に基づいて階調補正を行う。また、画像処理部１３０は、入力画像データに対して、階調補正の他、色補正、シェーディング補正等の各種補正処理や、圧縮処理等を施す。これらの処理が施された画像データに基づいて、画像形成部１４０が制御される。
【００２２】
画像形成部１４０は、入力画像データに基づいて、Ｙ成分、Ｍ成分、Ｃ成分、Ｋ成分の各有色トナーによる画像を形成するための画像形成ユニット１４１Ｙ、１４１Ｍ、１４１Ｃ、１４１Ｋおよび中間転写ユニット１４２等を備える。
【００２３】
Ｙ成分、Ｍ成分、Ｃ成分、Ｋ成分用の画像形成ユニット１４１Ｙ、１４１Ｍ、１４１Ｃ、１４１Ｋは、同様の構成を有する。図示および説明の便宜上、共通する構成要素は同一の符号で示し、それぞれを区別する場合には符号にＹ、Ｍ、ＣまたはＫを添えて示すこととする。図１では、Ｙ成分用の画像形成ユニット１４１Ｙの構成要素についてのみ符号が付され、その他の画像形成ユニット１４１Ｍ、１４１Ｃ、１４１Ｋの構成要素については符号が省略されている。
【００２４】
画像形成ユニット１４１の構成を画像形成ユニット１４１Ｙにより説明する。画像形成ユニット１４１Ｙは、露光装置１４１１、現像装置１４１２、感光体ドラム１４１３、帯電装置１４１４およびドラムクリーニング装置１４１５等を備えている。
【００２５】
感光体ドラム１４１３は、例えばアルミニウム製の導電性円筒体（アルミ素管）の周面に、アンダーコート層（ＵＣＬ：Under  Coat  Layer）、電荷発生層（ＣＧＬ：Charge  Generation  Layer）、電荷輸送層（ＣＴＬ：Charge  Transport  Layer）を順次積層した負帯電型の有機感光体（ＯＰＣ：Organic  Photo-conductor）である。
【００２６】
帯電装置１４１４は、光導電性を有する感光体ドラム１４１３の表面を一様に負極性に帯電させる。露光装置１４１１は、例えば半導体レーザーで構成され、感光体ドラム１４１３に対して各色成分の画像に対応するレーザー光を照射する。感光体ドラム１４１３の電荷発生層で正電荷が発生し、電荷輸送層の表面まで輸送されることにより、感光体ドラム１４１３の表面電荷（負電荷）が中和される。感光体ドラム１４１３の表面には、周囲との電位差により各色成分の静電潜像が形成される。
【００２７】
現像装置１４１２は、各色成分の現像剤（例えば、小粒径のトナーと磁性体（キャリアー）とからなる２成分現像剤）を収容しており、感光体ドラム１４１３の表面に各色成分のトナーを付着させることにより静電潜像を可視化してトナー像を形成する。
【００２８】
ドラムクリーニング装置１４１５は、感光体ドラム１４１３の表面に摺接されるドラムクリーニングブレードを有する。１次転写後に感光体ドラム１４１３の表面に残存する転写残トナーは、ドラムクリーニングブレードによって掻き取られ、除去される。
【００２９】
中間転写ユニット１４２は、中間転写体となる中間転写ベルト１４２１、１次転写ローラー１４２２、２次転写ローラー１４２３、駆動ローラー１４２４、従動ローラー１４２５およびベルトクリーニング装置１４２６等を備えている。
【００３０】
中間転写ベルト１４２１は無端状ベルトで構成され、駆動ローラー１４２４および従動ローラー１４２５に掛け渡される。中間転写ベルト１４２１は、駆動ローラー１４２４の回転により矢印Ａ方向に一定速度で走行する。１次転写ローラー１４２２によって、中間転写ベルト１４２１が感光体ドラム１４１３に圧接されると、中間転写ベルト１４２１に各色トナー像が順次重ねて１次転写される。そして、中間転写ベルト１４２１が２次転写ローラー１４２３によって記録用紙Ｓに圧接されると、中間転写ベルト１４２１に１次転写されたトナー像が記録用紙Ｓに２次転写される。
【００３１】
ベルトクリーニング装置１４２６は、中間転写ベルト１４２１の表面に摺接されるベルトクリーニングブレードを有する。２次転写後に中間転写ベルト１４２１の表面に残存する転写残トナーは、ベルトクリーニングブレードによって掻き取られ、除去される。
【００３２】
定着部１６０は、搬送されてきた記録用紙Ｓを定着ニップ部で加熱、加圧することにより、記録用紙Ｓにトナー像を定着させる。定着部１６０は、定着ユニット１６１とエア分離ユニット１６２とを備える。定着ユニット１６１は、１対の定着部材を圧接することにより形成される定着ニップ部に記録用紙Ｓを通過させて、この記録用紙Ｓ上に転写されたトナー画像に熱源からの熱を与えることにより、記録用紙Ｓにトナー画像を定着させる。エア分離ユニット１６２は、定着ニップ部における記録用紙Ｓの排紙側から記録用紙Ｓに向けて圧縮空気を出力することにより定着部材から記録用紙Ｓを分離する。
【００３３】
搬送部１５０は、給紙部１５１、搬送機構１５２および排紙部１５３等を備える。給紙部１５１を構成する３つの給紙トレイユニット１５１ａ〜１５１ｃには、記録用紙の坪量やサイズ等に基づいて識別された記録用紙（規格用紙、特殊用紙）Ｓがあらかじめ設定された種類ごとに収容される。
【００３４】
給紙トレイユニット１５１ａ〜１５１ｃに収容されている記録用紙Ｓは、最上部から１枚ずつ送出され、レジストローラー１５２ａ等の複数の搬送ローラーを備えた搬送機構１５２により画像形成部１４０に搬送される。このとき、レジストローラー１５２ａが配設されたレジスト部により、給紙された記録用紙Ｓの傾きが補正されるとともに搬送タイミングが調整される。そして、画像形成部１４０において、中間転写ベルト１４２１のトナー像が記録用紙Ｓの一方の面に一括して２次転写され、定着部１６０において定着工程が施される。画像形成された記録用紙Ｓは、排紙ローラー１５３ａを備えた排紙部１５３により画像形成装置１００の外に排紙される。
【００３５】
本実施の形態では図３に示すように、給紙部１５１内において、記録用紙Ｓのうち用紙搬送方向に垂直な用紙幅方向の両端部を、画像形成部１４０によるトナー像の形成に用いられるトナーの極性（例えば、マイナス）と同極性に帯電させる帯電部材が設けられている。図３では、記録用紙Ｓにおける用紙幅方向の両端部の一端部Ｓ１を帯電させる帯電部材１８２を図示し、当該両端部の他端部Ｓ２を帯電させる帯電部材の図示を省略している。一端部Ｓ１を帯電させる構成と、他端部Ｓ２を帯電させる構成とは同様の構成であるため、以下では、一端部Ｓ１を帯電させる構成についてのみ説明する。
【００３６】
帯電部材１８２は、針電極をアレー状に並べた鋸歯電極である。これは、複数枚の記録用紙Ｓの端部Ｓ１を同時に帯電させるためである。帯電部材１８２は、記録用紙Ｓの端部Ｓ１から所定距離（例えば、５［ｍｍ］）を隔てた位置に設けられている。なお、帯電部材１８２は、電極ワイヤー、不織布、ブラシ等で構成しても良い。
【００３７】
高圧電源１８０は、制御部２００の制御を受けて、帯電部材１８２に所定の電圧（例えば、５０００［Ｖ］）を印可する。なお、高圧電源１８０は、制御部２００の制御を受けて、帯電部材１８２に所定の電流（例えば、１０００［μＡ］）を印加しても良い。
【００３８】
ピニオン・ラック機構１８４は、図３中の矢印Ａ方向に設けられ、帯電部材１８２の一端部が接続されたラックギアと、ラックギアに噛合して回転するピニオンギアとを備える。制御部２００は、ピニオンギアを回転させることにより、帯電部材１８２を例えば４００［ｍｍ／ｓ］で矢印Ａ方向に移動させる。なお、高圧電源１８０、帯電部材１８２およびピニオン・ラック機構１８４は、本発明の帯電部として機能する。
【００３９】
本実施の形態では、制御部２００は、操作部１２２を介してフルブリード印刷モードが指定された場合、印刷ジョブの実行前に、高圧電源１８０を制御し、帯電部材１８２に所定の電圧を印可させた状態で、ピニオン・ラック機構１８４のピニオンギアを回転させて帯電部材１８２を矢印Ａ方向に移動させる。これにより、記録用紙Ｓの端部Ｓ１に帯電部材１８２が接触しない状態において、複数枚の記録用紙Ｓの端部Ｓ１は同時に、トナーの極性（例えば、マイナス）と同極性に帯電させられることとなる。
【００４０】
また、本実施の形態では、複数枚の記録用紙Ｓの端部Ｓ１が帯電させられている間、当該複数枚の記録用紙Ｓの最上面（印刷面）に保護カバー１８６を被せることによって、当該最上面の帯電を防止している。なお、保護カバー１８６は、本発明の帯電防止部材として機能する。
【００４１】
［本実施の形態の効果］
以上詳しく説明したように、本実施の形態の画像形成装置１００は、フルブリード印刷モードで、記録用紙Ｓに対してトナー像を形成する画像形成部１４０と、記録用紙Ｓの端部を帯電させる帯電部（高圧電源１８０、帯電部材１８２、ピニオン・ラック機構１８４）と、画像形成部１４０によりトナー像が形成される前において、当該トナー像の形成に用いられるトナーの極性と同極性に帯電させるように帯電部を制御する制御部２００とを備える。
【００４２】
このように構成した本実施の形態によれば、画像形成部１４０の中間転写ベルト１４２１に１次転写されたトナー像が記録用紙Ｓに２次転写される際、帯電部材１８２によって記録用紙Ｓの端部に付与された電荷と、当該トナー像のトナーに付与された電荷とが互いに反発しあうため、記録用紙Ｓからはみ出したトナーが、記録用紙Ｓの端部Ｓ１に付着することを防止することができる。よって、記録用紙Ｓの端部に付着したトナーが、定着ローラーや排紙ローラー等に多く転移し、当該定着ローラーや排紙ローラー等に接触する次の記録用紙に再付着してしまうことや、印刷された記録用紙を取り扱う際に、記録用紙Ｓの端部に付着したトナーがユーザーの手を汚してしまうことを防止することができる。
【００４３】
さらに言えば、本実施の形態では、記録用紙Ｓからはみ出したトナーが記録用紙Ｓの端部Ｓ１に付着することを予防している。そのため、クリーニング部材を用いて搬送ベルト（二次転写ベルト）に付着したトナーを除去する、つまり記録用紙Ｓの端部Ｓ１にトナーが付着することを前提としている従来技術と比べて、当該クリーニング部材を設けたり、そのクリーニング部材をクリーニングしたりする必要がないので、画像形成装置１００のメンテナンス性を向上させることができる。また、クリーニング部材をクリーニングするための手段を設ける必要がないため、コストアップの増加を防止することができる。
【００４４】
また、本実施の形態では、記録用紙Ｓの端部Ｓ１に帯電部材１８２が接触しない状態において、記録用紙Ｓの端部Ｓ１を帯電させる。この構成により、給紙部１５１内に収容された複数枚の記録用紙Ｓの端部Ｓ１が揃っていない場合でも、当該複数枚の記録用紙Ｓの端部Ｓ１に対して均一な電荷量を供給して帯電させることができる。
【００４５】
また、本実施の形態では、複数枚の記録用紙Ｓの最上面（印刷面）に保護カバー１８６を被せることによって、当該最上面の帯電を防止している。この構成により、記録用紙Ｓの最上面（印刷面）が帯電させられた場合において、当該記録用紙Ｓが２次転写される際、記録用紙Ｓの印刷面に付与された電荷と、その印刷面に形成されるトナー像のトナーに付与された電荷とが互いに反発しあうことによって、当該トナーが記録用紙Ｓの印刷面に付着しないこと（すなわち、２次転写不良）を防止することができる。
【００４６】
［変形例］
なお、上記実施の形態では、高圧電源１８０と帯電部材１８２とを用い、記録用紙Ｓの端部Ｓ１に帯電部材１８２が接触しない状態において記録用紙Ｓの端部Ｓ１を帯電させる例について説明したが、本発明はこれに限定されない。例えば、図４に示すように、記録用紙Ｓの端部Ｓ１に帯電部材１８８が接触した状態において記録用紙Ｓの端部Ｓ１を帯電させても良い。
【００４７】
帯電部材１８８は、ローラー形状を有する針電極であり、図示しないモーターにより回転可能に構成されている。帯電部材１８８の抵抗値は１０６［Ω／１０００Ｖ］である。例えば、帯電部材１８８に２０００［Ｖ］が印加された場合、帯電部材１８８の抵抗値は、２×１０６［Ω］である。なお、帯電部材１８８は、ブラシ等で構成しても良い。
【００４８】
高圧電源１８０は、制御部２００の制御を受けて、帯電部材１８８に所定の電圧（例えば、１０００［Ｖ］）を印可する。記録用紙Ｓの端部Ｓ１に同じ電荷量を供給して帯電させることを考えた場合、記録用紙Ｓの端部Ｓ１に帯電部材１８８が接触するときの方が、記録用紙Ｓの端部Ｓ１に帯電部材１８８が接触しないときよりも低い電圧の印加で上記帯電を実現することができる。
【００４９】
ピニオン・ラック機構１８４は、図４中の矢印Ａ方向に設けられ、帯電部材１８８の一端部が接続されたラックギアと、ラックギアに噛合して回転するピニオンギアとを備える。制御部２００は、ピニオンギアを回転させることにより、帯電部材１８８を例えば４００［ｍｍ／ｓ］で矢印Ａ方向に移動させる。なお、高圧電源１８０、帯電部材１８８およびピニオン・ラック機構１８４は、本発明の帯電部として機能する。
【００５０】
なお、図３，４に示すように、高圧電源１８０と帯電部材１８２，１８８とを用いて、記録用紙Ｓの端部Ｓ１を帯電させる場合、図５に示すように、画像形成装置１００の周囲の環境（温湿度環境）高圧電源１８０により帯電部材１８２，１８８に印加される電圧を変更しても良い。環境によりトナー帯電量は変化し、低温低湿環境ほどトナー帯電量は大きい。そのため、記録用紙Ｓの端部Ｓ１にトナーが付着することを防止するためには、当該端部Ｓ１の帯電量を大きくする必要があり、画像形成装置１００の周囲の環境に応じて帯電部材１８２，１８８に印加される電圧を変更することが好ましい。また、記録用紙Ｓの用紙抵抗や端部形状（切れ口の差異や、コートされているか否か等）は、記録用紙Ｓの端部Ｓ１に対するトナーの付着しやすさに影響を与えるため、記録用紙Ｓの坪量および種類に応じて、高圧電源１８０により帯電部材１８２，１８８に印加される電圧を変更しても良い。
【００５１】
また、高圧電源１８０を用いて記録用紙Ｓの端部Ｓ１を帯電させる例について説明したが、本発明はこれに限定されない。例えば、図６に示すように、記録用紙Ｓの端部Ｓ１に摩擦帯電部材１９０が接触し、記録用紙Ｓの端部Ｓ１を摩擦帯電させても良い。
【００５２】
摩擦帯電部材１９０は、ローラー形状を有し、図示しないモーターにより回転可能に構成されている。摩擦帯電部材１９０は、画像形成部１４０によるトナー像の形成に用いられるトナーの極性がマイナスである場合、摩擦帯電部材１９０自体がプラスに帯電する材料（例えば、ナイロン材）により構成される。この場合、記録用紙Ｓの端部Ｓ１は、摩擦帯電部材１９０によってマイナスに帯電させられる。一方、摩擦帯電部材１９０は、画像形成部１４０によるトナー像の形成に用いられるトナーの極性がプラスである場合、摩擦帯電部材１９０自体がマイナスに帯電する材料（例えば、テフロン（登録商標）材）により構成される。この場合、記録用紙Ｓの端部Ｓ１は、摩擦帯電部材１９０によってプラスに帯電させられる。なお、摩擦帯電部材１９０は、ブラシ等で構成しても良い。
【００５３】
ピニオン・ラック機構１８４は、図６中の矢印Ａ方向に設けられ、摩擦帯電部材１９０の一端部が接続されたラックギアと、ラックギアに噛合して回転するピニオンギアとを備える。制御部２００は、ピニオンギアを回転させることにより、摩擦帯電部材１９０を例えば４００［ｍｍ／ｓ］で矢印Ａ方向に移動させる。なお、摩擦帯電部材１９０およびピニオン・ラック機構１８４は、本発明の帯電部として機能する。
【００５４】
また、上記実施の形態では、操作部１２２を介してフルブリード印刷モードが指定された場合、記録用紙Ｓの端部Ｓ１を帯電させる例について説明したが、本発明はこれに限定されない。例えば、フルブリード印刷モードが指定されていない場合でも、記録用紙Ｓの余白が少ないときには、記録用紙Ｓの端部Ｓ１を帯電させても良い。記録用紙Ｓからはみ出したトナーが、当該記録用紙Ｓの端部Ｓ１に付着するおそれがあるためである。
【００５５】
また、上記実施の形態では、印刷ジョブの実行前に、記録用紙Ｓの端部Ｓ１を帯電させる例について説明したが、当該印刷ジョブの実行中に記録用紙Ｓの端部Ｓ１を帯電させても良い。
【００５６】
また、上記実施の形態では、記録用紙Ｓのうち用紙搬送方向に垂直な用紙幅方向の両端部を帯電させる例について説明したが、本発明はこれに限定されない。例えば、記録用紙Ｓのうち用紙搬送方向の両端部（先端部および後端部）を帯電させても良い。
【００５７】
また、上記実施の形態では、記録用紙Ｓを収容する給紙部１５１内において、当該記録用紙Ｓの端部Ｓ１を帯電させる例について説明したが、本発明はこれに限定されない。例えば、図１に示すように、給紙トレイユニット１５１ａ〜１５１ｃに収容されている記録用紙Ｓを画像形成部１４０に搬送する搬送路近傍に、点線で示す帯電部材１８２を設け、記録用紙Ｓの端部Ｓ１を１枚ずつ帯電させても良い。ただし、この構成では、記録用紙Ｓのうち用紙搬送方向の両端部（先端部および後端部）を帯電させることは困難である。よって、この場合は、中間転写ベルト１４２１に１次転写されたトナー像を記録用紙Ｓに２次転写させる転写バイアスの印加タイミングを、特に記録用紙Ｓの先端部および後端部において精度良く制御することによって、記録用紙Ｓからトナーがはみ出さないようにすることが好ましい。
【００５８】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５９】
１００  画像形成装置
１１０  画像読み取り部
１２０  操作表示部
１２１  表示部
１２２  操作部
１３０  画像処理部
１４０  画像形成部
１５０  搬送部
１５１  給紙部
１６０  定着部
１６１  定着ユニット
１６２  エア分離ユニット
１７１  通信部
１７２  記憶部
１８０  高圧電源
１８２，１８８  帯電部材
１８４  ピニオン・ラック機構
１８６  保護カバー
１９０  摩擦帯電部材
２００  制御部
【図１】
2014182260.tif 000003
【図２】
2014182260.tif 000004
【図３】
2014182260.tif 000005
【図４】
2014182260.tif 000006
【図５】
2014182260.tif 000007
【図６】
2014182260.tif 000008